(57)【特許請求の範囲】
【請求項１】
一個の筐体（１）、一個の回動部材（２）、一個の鍵導入座（３）および一個の連接部材（４）が含まれる錠の盗難防止装置において、筐体（１）には一個の第一端（１２）、一個の第二端（１３）および一個の収容空間（１１）が含まれ、第一端（１２）と第二端（１３）は筐体（１）の軸方向における相対する両端からなり、第一端（１２）には一個の第一開口（１２１）が含まれ、第二端（１３）には一個の第二開口（１３１）が含まれ、第一開口（１２１）と第二開口（１３１）は全て収容空間（１１）と連通し、回動部材（２）は回動自在に収容空間（１１）に設置され、その中、回動部材（２）には一個の第一表面（２２）が含まれ、第一表面（２２）は第一開口（１２１）に向かうように形成され、さらに回動部材（２）には一個の第二表面（２３）が含まれ、第二表面（２３）は第二開口（１３１）に向かうように形成され、回動部材（２）には一個の制御部（２１）と一個の挿入孔（２４）が設けられ、制御部（２１）は回動部材（２）が筐体（１）に相対して軸方向に沿って一個の回動領域内において回動するのを連動するために用いられ、挿入孔（２４）は軸方向において回動部材（２）の第一表面（２２）と第二表面（２３）を連通し、第一表面（２２）には一個の第三開口（２２１）が形成され、さらに第二表面（２３）には一個の第四開口（２３１）が形成され、鍵導入座（３）は収容空間（１１）に設置され、鍵導入座（３）には一個の弧形導引溝（３４）と一個の収容孔（３５）が設けられ、弧形導引溝（３４）は収容孔（３５）に連通され、収容孔（３５）は筐体（１）の軸方向に沿って鍵導入座（３）の相対する二個の端面を貫通し、連接部材（４）は鍵導入座（３）の収容孔（３５）に設置され、かつ連接部材（４）には一個の第一端（４ａ）と一個の第二端（４ｂ）が含まれ、第一端（４ａ）には一個の嵌接部（４１）が設けられ、第二端（４ｂ）は回動部材（２）を後ろ向きにして収容孔（３５）から突き出され、その中、回動部材（２）が上記回動領域内において回動する時、第三開口（２２１）は必ず第一開口（１２１）の開口の範囲内に位置するように保持され、かつ挿入孔（２４）は収容孔（３５）と互いに連通する、または互いに隔てたりするように形成されることを特徴とする錠の盗難防止装置。
【請求項２】
挿入孔（２４）の前段の断面形状は非真円の形態であることを特徴とする請求項１に記載の錠の盗難防止装置。
【請求項３】
連接部材（４）の嵌接部（４１）の形状は挿入孔（２４）の非真円の形態に対応することを特徴とする請求項２に記載の錠の盗難防止装置。
【請求項４】
他に一個のカバー（５）が含まれ、カバー（５）は滑動自在に筐体（１）の片側に環設され、さらに鍵導入座（３）を被覆するように形成され、かつ連接部材（４）の第二端（４ｂ）はカバー（５）を貫穿して通過することを特徴とする請求項１に記載の錠の盗難防止装置。
【請求項５】
カバー（５）には一個の切口溝（５１）が設けられ、切口溝（５１）は鍵導入座（３）の弧形導引溝（３４）に位置を合わせるように連通されることを特徴とする請求項４に記載の錠の盗難防止装置。
【請求項６】
鍵導入座（３）には少なくとも一個の位置決めユニット（３６）が設けられ、かつカバー（５）には一個の第一位置決め部（５３）と一個の第二位置決め部（５４）が設けられ、少なくとも一個の位置決めユニット（３６）は第一位置決め部（５３）または第二位置決め部（５４）に結合されることを特徴とする請求項４に記載の錠の盗難防止装置。
【請求項７】
嵌接部（４１）には一個の嵌入溝（４１１）が設けられ、嵌入溝（４１１）には弧状部が含まれることを特徴とする請求項１に記載の錠の盗難防止装置。
【請求項８】
収容孔（３５）には一個の大径部（３５１）と一個の小径部（３５２）が分けられ、大径部（３５１）は弧形導引溝（３４）に連通され、かつ連接部材（４）の嵌接部（４１）は大径部（３５１）に設置されることを特徴とする請求項１に記載の錠の盗難防止装置。
【請求項９】
筐体（１）に直交する軸方向の横断面上において、弧形導引溝（３４）と切口溝（５１）は同軸の円弧の径路に沿って延伸することを特徴とする請求項５に記載の錠の盗難防止装置。
【請求項１０】
嵌接部（４１）には一個の嵌入溝（４１１）が設けられ、嵌入溝（４１１）には弧状部が含まれ、かつ筐体（１）に直交する軸方向の横断面上において嵌入溝（４１１）は弧形導引溝（３４）および切口溝（５１）と同軸の円弧の径路に沿って延伸することを特徴とする請求項５に記載の錠の盗難防止装置。
【請求項１１】
筐体（１）に直交する軸方向の横断面上において、嵌入溝（４１１）は弧形導引溝（３４）と同軸の円弧の径路に沿って延伸することを特徴とする請求項７に記載の錠の盗難防止装置。
【請求項１２】
請求項１に記載される錠の盗難防止装置に用いられる鍵（６）において、一個の結合部（６１）、一個の係止部（６２）および一個の歯部（６３）が含まれ、結合部（６１）には弧状部が含まれ、係止部（６２）は結合部（６１）と歯部（６３）を連接することを特徴とする鍵。
【請求項１３】
係止部（６２）は非真円の形態であることを特徴とする請求項１２に記載の鍵。
【発明の詳細な説明】
【技術分野】
【０００１】
本発明は、ドア等の錠に用いられる盗難防止装置とその鍵に関するもので、特に多重盗難防止機能を備えた錠の盗難防止装置とその装置に用いられる鍵に関するものである。
【背景技術】
【０００２】
従来の錠としては鍵を挿入して合致するための一個または複数個の錠の芯が含まれ、そして回動によって錠の閂が開いたり閉じたりするのを連動することができるようにしたものがある。しかし、従来の錠では鍵を挿入するための鍵穴は殆ど露出しており、この露出している鍵穴では犯罪者が工具等を挿入して極めて簡単に開錠することができるだけではなく、さらに鍵穴の内部を覗くことによって鍵をコピーして錠を開錠できるものであった。
【０００３】
このような問題点に鑑みて、図７に示される中華民国公告第Ｍ２８７３６１号の「隠蔽式鍵穴を有する安全ロック構造」において、錠の盗難防止装置９が掲示されている。この錠の盗難防止装置９においては、一個の錠本体９１の外側に一個の蓋板９２が設けられ、蓋板９２には錠本体９１の鍵穴９１１に対応するように一個の開孔９２１が含まれる。蓋板９２の内面において開孔９２１の位置に対応するように一個の磁力板９３が設けられており、磁力板９３には孔径が開孔９２１より少し小さめの通孔９３１が含まれる。これにより、通孔９３１は開孔９２１と位置を合わせることができるため、磁力の内縁を有した収容溝が形成され、上記収容溝によって一個の装飾蓋９４を吸い付けることができるため、鍵穴９１１を遮蔽して隠すことができるようにしたものがある。
【先行技術文献】
【特許文献】
【０００４】
【特許文献１】中華民国公告第Ｍ２８７３６１号
【発明の概要】
【発明が解決しようとする課題】
【０００５】
上記のような従来の錠では、一般的に次のような問題点を有している。上記の錠の盗難防止装置９は消極的な鍵穴の遮蔽方式であり、犯罪者は磁力板９３の磁力より強い磁力を有する磁石を利用することで直ちに装飾蓋９４を取り外すか、或いは、尖がっている工具を利用して装飾蓋９４と上記収容溝の縁の部位から挿入することにより、装飾蓋９４を取り出すことができる。これにより、錠本体９１の鍵穴９１１も露出してしまうため、従来の錠の盗難防止装置９による隠蔽式の鍵穴の効果もなくなってしまう。また、鍵穴９１１は一本の鍵９５の歯部９５１だけで開錠することができるため、犯罪者は装飾蓋９４を取り外した後、工具を用いて鍵穴９１１に挿入して錠の盗難防止装置９を開錠することができるため、錠の盗難防止装置９の盗難防止機能が無効になってしまうという問題点があった。このように、従来の錠の盗難防止装置９をさらに改良しなければならない。
【０００６】
本発明は上記のような従来の錠の盗難防止装置の問題点に鑑みて発明されたものであり、本発明の第一の目的は、錠の鍵穴を隠すことによって上記錠を違法に開錠するのを防止することができる錠の盗難防止装置を提供することである。
【０００７】
本発明の第二の目的は、多重的な盗難防止の設計を備えた錠の盗難防止装置を提供することにある。
【０００８】
本発明の第三の目的は、上記錠の盗難防止装置専用の上記錠を簡単に開錠することができる鍵を提供するである。
【課題を解決するための手段】
【０００９】
上記目的を達成するために、本発明の錠の盗難防止装置には、一個の筐体、一個の回動部材、一個の鍵導入座および一個の連接部材が含まれる。筐体には一個の第一端、一個の第二端と一個の収容空間が含まれ、第一端と第二端は筐体の軸方向における相対する両端からなり、第一端には一個の第一開口が含まれ、第二端には一個の第二開口が含まれ、第一開口と第二開口は全て収容空間と連通する。回動部材は回動自在に収容空間に設置され、その中、回動部材には一個の第一表面が含まれ、第一表面は第一開口に向かうように形成される。さらに回動部材には一個の第二表面が含まれ、第二表面は第二開口に向かうように形成される。回動部材には一個の制御部と一個の挿入孔が設けられ、制御部は回動部材が筐体に相対して軸方向に沿って一個の回動領域内において回動するのを連動するために用いられる。挿入孔は軸方向において回動部材の第一表面と第二表面を連通し、第一表面には一個の第三開口が形成され、さらに第二表面には一個の第四開口が形成される。鍵導入座は収容空間に設置され、鍵導入座には一個の弧形導引溝と一個の収容孔が設けられる。弧形導引溝は収容孔に連通され、収容孔は筐体の軸方向に沿って鍵導入座の相対する二個の端面を貫通する。連接部材は鍵導入座の収容孔に設置され、かつ連接部材には一個の第一端と一個の第二端が含まれる。第一端には一個の嵌接部が設けられ、第二端は回動部材を後ろ向きにして収容孔から突き出され、その中、回動部材が上記回動領域内において回動する時、第三開口は必ず第一開口の開口の範囲内に位置するように保持され、かつ挿入孔は収容孔と互いに連通または互いに隔たるように形成される。
【００１０】
また、挿入孔の前段の断面形状は非真円の形態であることもできる。また、連接部材の嵌接部の形状は挿入孔の非真円の形態に対応することもできる。また、他に一個のカバーが含まれ、カバーは滑動自在に筐体の片側に環設され、さらに鍵導入座を被覆するように形成され、かつ連接部材の第二端はカバーを貫穿して通過することもできる。また、カバーには一個の切口溝が設けられ、切口溝は鍵導入座の弧形導引溝に位置を合わせるように連通されることもできる。また、鍵導入座には少なくとも一個の位置決めユニットが設けられ、かつカバーには一個の第一位置決め部と一個の第二位置決め部が設けられ、少なくとも一個の位置決めユニットは第一位置決め部または第二位置決め部に結合されることもできる。また、嵌接部には一個の嵌入溝が設けられ、嵌入溝には弧状部が含まれることもできる。また、収容孔には一個の大径部と一個の小径部が分けられ、大径部は弧形導引溝に連通され、かつ連接部材の嵌接部は大径部に設置されることもできる。また、筐体に直交する軸方向の横断面上において、弧形導引溝と切口溝は同軸の円弧の径路に沿って延伸することもできる。また、嵌接部には一個の嵌入溝が設けられ、嵌入溝には弧状部が含まれ、かつ筐体に直交する軸方向の横断面上において嵌入溝は弧形導引溝および切口溝と同軸の円弧の径路に沿って延伸することもできる。また、筐体に直交する軸方向の横断面上において、嵌入溝は弧形導引溝と同軸の円弧の径路に沿って延伸することもできる。
【００１１】
さらに、上記目的を達成するために、本発明の錠の盗難防止装置に用いられる鍵には一個の結合部、一個の係止部および一個の歯部が含まれ、結合部には弧状部が含まれ、係止部は結合部と歯部を連接する。また、係止部は非真円の形態であることもできる。
【発明の効果】
【００１２】
本発明の錠の盗難防止装置によれば、錠の鍵穴を隠すことによって上記錠を違法に開錠するのを防止することができるという利点がある。
【００１３】
本発明の錠の盗難防止装置によれば、多重な盗難防止機構を含むことができるという利点がある。
【００１４】
本発明の錠の盗難防止装置に用いられる鍵によれば、錠の盗難防止装置に専用して錠を簡単に開錠するという利点がある。
【図面の簡単な説明】
【００１５】
【図１】図１は、本発明の実施例の錠の盗難防止装置の分解斜視図である。
【図２】図２は、本発明の実施例の錠の盗難防止装置の組み立てられた状態の断面図である。
【図３】図３は、本発明の実施例の錠の盗難防止装置の組み立てられた状態の側面図である。
【図４】図４は、本発明の実施例の錠の盗難防止装置の作動状態の説明図である。
【図５】図５は、本発明の実施例の錠の盗難防止装置の作動状態の側面図一である。
【図６】図６は、本発明の実施例の錠の盗難防止装置の作動状態の側面図二である。
【図７】図７は、従来の隠蔽式鍵穴を有する安全錠構造の説明図である。
【発明を実施するための形態】
【００１６】
本発明の実施の形態について、以下、図面を参照して説明する。
【００１７】
図１は本発明の実施例の錠の盗難防止装置の分解斜視図で、図２は本発明の実施例の錠の盗難防止装置の組み立てられた状態の断面図で、図３は本発明の実施例の錠の盗難防止装置の組み立てられた状態の側面図である。図１、２、３を参照すると、本発明の実施例による錠の盗難防止装置を、筐体の錠、ドアの錠、Ｕ字形ロック、杖形ロックなどの各種の錠に応用することができる。錠の盗難防止装置には一個の筐体１、一個の回動部材２、一個の鍵導入座３および一個の連接部材４が含まれる。回動部材２と鍵導入座３は全て筐体１に設置され、そして連接部材４は回動自在に鍵導入座３と結合する。
【００１８】
筐体１には一個の収容空間１１が含まれ、収容空間１１は主に回動部材２と鍵導入座３を収容するのに用いられる。筐体１は一個の中空の円筒体からなることができ、かつ筐体１の軸方向における相対する両端はそれぞれ一個の第一端１２と一個の第二端１３からなる。その中、第一端１２と第二端１３にはそれぞれ一個の第一開口１２１と一個の第二開口１３１が含まれ、かつ第一開口１２１と第二開口１３１は全て収容空間１１と互いに連通する。さらに詳しく言えば、本実施例において、収容空間１１には一個の第一区域１１１と一個の第二区域１１２が分けられ、第一区域１１１は第一端１２の第一開口１２１に隣接し、かつ第二区域１１２は第二端１３の第二開口１３１に隣接する。
【００１９】
この中、筐体１は各種の結合手段を利用して第一端１２を一個の錠（図示せず）に設置することができ、かつ上記錠の一個の鍵穴（図示せず）は第一区域１１１が隣接する第一開口１２１の開口の範囲内に位置する。この他に、二個の滑動溝１４を筐体１の外周縁の軸方向に設けることができ、二個の滑動溝１４は第一区域１１１と第二区域１１２の境界の近くに対称するように設置される。
【００２０】
注意すべきことは、本実施例において、筐体１が第一区域１１１に位置する部位は完全な円筒状に形成されるのに対し、筐体１が第二区域１１２に位置する部位は半円の円筒状に形成されることである。ただし、本発明ではこの形態に制限されるものではなく、筐体１が第一区域１１１と第二区域１１２に位置する形状的な設計は、主に回動部材２と鍵導入座３が筐体１設置される時、回動部材２が鍵導入座３に向かう片側の表面の一部を露出するように形成させるものであればどのような形態も適用できる。
【００２１】
回動部材２は回動自在に筐体１の収容空間１１内に設置され、かつ回動部材２の片側には一個の制御部２１が設けられる。制御部２１は回動部材２が筐体１に相対して回動するのに連動することができ、かつ制御部２１の外形的構造と設置位置は使用者が便利に握持して使用することを主眼として設計されることを原則とする。本実施例において、回動部材２は一個の円柱体からなり、かつ回動部材２は回動自在に第一区域１１１に設置される。回動部材２には相対する一個の第一表面２２と一個の第二表面２３が含まれる。第一表面２２は筐体１の第一端１２の第一開口１２１に向かうように形成され、かつ第二表面２３は筐体１の第二端１３の第二開口１３１に向かうように形成される。さらに第二表面２３の適当な位置に制御部２１が設けられ、使用者は制御部２１を操作することによって回動部材２が筐体１に相対して軸方向に沿って一個の回動領域内において回動するよう連動させることができる。
【００２２】
また、回動部材２には他に一個の挿入孔２４が含まれる。挿入孔２４は軸方向で第一表面２２と第二表面２３を貫通する一個の通孔からなるため、第一表面２２において一個の第三開口２２１を形成し、さらに第二表面２３において一個の第四開口２３１を形成する。また、回動部材２が上記回動領域内において回動する時、第三開口２２１は必ず筐体１の第一開口１２１の開口の範囲内に位置するように保持することができる。注目すべきことは、挿入孔２４には第四開口２３１と連接する一個の前段および第三開口２２１と連接する一個の後段が含まれ、かつ上記前段の断面形状は非真円の形態からなることができ、それにより、よりよい位置合わせと回動防止の効果を提供できることである。これについては後段でさらに説明を行う。
【００２３】
鍵導入座３も収容空間１１内に設置され、かつ鍵導入座３は回動部材２の片側に当接することができる。さらに詳しく言えば、本実施例において、鍵導入座３の断面は選択的に半円形に形成され、かつ鍵導入座３は一個の位置決め部材３１によって筐体１の第二区域１１２に固設することができるため、回動部材２の一部分の第二表面２３は外に露出するように形成される。その中、鍵導入座３には一個の平面側壁３２と一個の弧面側壁３３が含まれ、かつ平面側壁３２は弧面側壁３３と連接する。
【００２４】
注意しなければならないことは、鍵導入座３には一個の弧形導引溝３４と一個の収容孔３５が設けられ、弧形導引溝３４は平面側壁３２から鍵導入座３の内部に向かって延伸するように形成されることである。収容孔３５は軸方向において鍵導入座３の相対する二個の端面を貫通し、さらに弧形導引溝３４と互いに連通する。特に、本実施例において、収容孔３５はさらに一個の大径部３５１と一個の小径部３５２に分けられ、大径部３５１と小径部３５２の径部の差によって一個の第一肩部３５３が形成される。その中、大径部３５１は回動部材２に隣接し、かつ大径部３５１は弧形導引溝３４に連通される。
【００２５】
連接部材４は一個の長い桿体からなることができ、さらに連接部材４は回動自在に鍵導入座３の収容孔３５内に設置され、かつ収容孔３５内において筐体１に相対して軸方向で滑動することができる。連接部材４には一個の第一端４ａと一個の第二端４ｂが含まれる。第一端４ａには一個の嵌接部４１が設けられ、嵌接部４１は回動部材２に向かうように形成される。第二端４ｂは回動部材２を後ろ向きにして鍵導入座３の収容孔３５から突き出され、さらに第二端４ｂには一個の回動ボタン４２が設置され、かつ嵌接部４１と回動ボタン４２の間は一個の桿部４３からなる。
【００２６】
さらに詳しく言えば、本実施例において、嵌接部４１は鍵導入座３の大径部３５１に設置され、かつ嵌接部４１の外径は桿部４３の外径より大きくなるように形成されることにより、嵌接部４１と桿部４３の径部の差によって一個の第二肩部４４が形成される。第二肩部４４は第一肩部３５３に当接することができるため、連接部材４が小径部３５２の方向に向かって鍵導入座３から離脱するのを防止することができる。さらに重要なことは、嵌接部４１の形状は回動部材２の挿入孔２４の前段の形状に対応し、かつ嵌接部４１は挿入孔２４の内に伸び入れて滑動して回動することができる。また、嵌接部４１には他に一個の嵌入溝４１１が設けられる。嵌入溝４１１は適当な弧状部を有するように形成される。
【００２７】
その他に、鍵導入座３によりよい保護効果を提供するために、本発明の錠の盗難防止装置には他に一個のカバー５が含まれる。カバー５は滑動自在に筐体１の片側に環設され、さらに鍵導入座３を被覆するように形成される。その中、連接部材４に回動ボタン４２が設けられる一端はカバー５を貫穿して通過するため、使用者は回動ボタン４２を便利に握持して使用することにより、カバー５は連接部材４と同期して作動するように形成される。
【００２８】
さらに詳しく言えば、本実施例において、カバー５の断面は選択的に半円形からなり、かつカバー５は筐体１の第二区域１１２に環設される。その中、カバー５が筐体１に相対して第一端１２の方向に向かって滑動する時、二個の滑動溝１４の設計によってよりよい位置決め効果を提供することができるため、カバー５の滑動範囲を制限することができる。さらに、カバー５の適当な位置には一個の切口溝５１と一個の通孔５２が設けられる。切口溝５１は鍵導入座３の弧形導引溝３４に位置を合わせるように連通することができ、かつ通孔５２は連接部材４の第二端４ｂが貫穿して通過するのに用いられることにより、第二端４ｂに回動ボタン４２を設置することができる。
【００２９】
また、カバー５によりよい位置決め効果を提供するために、カバー５の適当な位置にさらに一個の第一位置決め部５３と一個の第二位置決め部５４が設けられ、さらに併せて鍵導入座３の相対応する位置に少なくとも一個の位置決めユニット３６が設けられ、少なくとも一個の位置決めユニット３６によって第一位置決め部５３または第二位置決め部５４と結合することにより、カバー５を一個の第一位置または一個の第二位置に位置決めすることができる。
【００３０】
さらに詳しく言えば、本実施例において、選択的に鍵導入座３の平面側壁３２において二個の位置決めユニット３６が設けられる。それぞれの位置決めユニット３６は全て選択的に一個の球体３６１と一個の弾性部材３６２により構成され、かつカバー５の第一位置決め部５３と第二位置決め部５４は全て選択的に二個の穴からなる。これにより、カバー５が鍵導入座３に相対して軸方向で滑動する時、二個の球体３６１はそれぞれ第一位置決め部５３の二個の穴内に伸び入れて係合することにより、カバー５は上記第一位置に位置決めされ、さらに二個の球体３６１がそれぞれ第二位置決め部５４の二個の穴の内に伸び入れて係合する時、カバー５を上記第二位置に位置決めすることができる。
【００３１】
再び図１、２を参照すると、本発明の錠の盗難防止装置を使用する時、併せて特有な形態を有する一個の鍵６を使用する。鍵６には一個の結合部６１、一個の係止部６２および一個の歯部６３が含まれる。係止部６２は結合部６１および歯部６３と連接し、かつ歯部６３は特定の錠の鍵穴と結合することができるため、上記錠を開錠することができる。結合部６１は連接部材４の嵌接部４１の嵌入溝４１１と互いに嵌合することにより、連接部材４によって鍵６が回動するように連動することができる。
【００３２】
さらに詳しく言えば、結合部６１には嵌入溝４１１と相対応する弧状部を有するように形成され、かつ上記弧状部によって結合部６１は弧形導引溝３４と切口溝５１においてスムースに滑動することができる。結合部６１と弧形導引溝３４および切口溝５１に併せた設計により、特定の形態を有する鍵６だけが許されて連接部材４の嵌接部４１と互いに結合することができるため、盗難防止の効果を有効に高めることができる。その中、結合部６１が切口溝５１と弧形導引溝３４を滑動して通過して嵌入溝４１１に結合するように、筐体１に直交する軸方向の横断面上において、弧形導引溝３４と切口溝５１は同軸の円弧の径路に沿って延伸するように形成され、かつ嵌入溝４１１も上記円弧の径路の沿って延伸することができる。
【００３３】
係止部６２の外形的構造は回動部材２の挿入孔２４の前段の形状に対応することにより、鍵６だけが特定な角度で挿入孔２４の中に挿入するのを制限することができるため、鍵６に位置合わせの効果を提供することができる。特に、係止部６２によって鍵６が回動部材２に相対して回動するのを避けることができるため、回動部材２が筐体１に相対して回動する時、鍵６の結合部６１を切口溝５１と弧形導引溝３４にスムースに位置を合わせることができる。
【００３４】
図２乃至図６を参照すると、本発明の錠の盗難防止装置の作動についての説明図が掲示されている。先ず図２、３を参照すると、上記錠を開錠しようとする時、予め回動部材２の挿入孔２４を露出状態にさせ、かつ位置決めユニット３６を第二位置決め部５４に係合させることにより、カバー５を上記第二位置に位置決めさせる。この時、上記錠の鍵穴と挿入孔２４は位置ずれするように形成され、すなわち挿入孔２４から筐体１の第一端１２の方向に向かって眺めると、上記鍵穴に直接接触したりまたは覗いたりすることができず、かつ挿入孔２４と収容孔３５は互いに隔てられるように形成される。これにより、挿入孔２４の前段と係止部６２によって形成された相対応する非真円形状に基づいて、鍵６を特定な角度で挿入孔２４の内に挿入することにより、結合部６１は回動部材２の第二表面２３から露出される。
【００３５】
次いで、図４、５を参照すると、図４の矢印に示す方向に制御部２１によって回動部材２が筐体１に相対して回動するように連動することにより、鍵６の結合部６１は順序よく切口溝５１と弧形導引溝３４を通過してから、鍵導入座３の大径部３５１に到達し、そして結合部６１を連接部材４の嵌接部４１の嵌入溝４１１と互いに嵌合させる。この時、回動部材２の挿入孔２４は上記錠の鍵穴と鍵導入座３の収容孔３５に位置を合わせて連通するように形成される。
【００３６】
最後に、図６を参照すると、回動ボタン４２またはカバー５を筐体１の第一端１２の方向に向かって押し動かすと、連接部材４は鍵６を上記錠の方向に向かって移動するように押し動かすことができ、かつ連接部材４の嵌接部４１は挿入孔２４の後段の中に位置するように形成される。位置決めユニット３６が第一位置決め部５３の二個の穴に係合される時、カバー５は上記第一位置に位置するように形成され、かつ鍵６の歯部６３はすでに上記鍵穴の中に伸び入れられている。これにより、回動ボタン４２を回動することによって連接部材４を連動して鍵６を回動させると、直ちに開錠または施錠の作動を行なうことができる。
【００３７】
本発明の錠の盗難防止装置の主な技術特徴は、回動部材２を利用して錠の鍵穴を遮蔽することにより、鍵穴に直接接触したり覗いたりすることができず、かつ開錠または施錠の作動を行なおうとする時、再び制御部２１によって回動部材２が筐体１に相対して回動するように連動することにより、鍵６を上記鍵穴の内に導入することができる。これにより、本発明によれば違法に上記錠を開錠するのを有効に防止することができ、盗難防止効果を高めることができる。
【００３８】
本発明の錠の盗難防止装置によれば、連接部材４の嵌接部４１を鍵導入座３の収容孔３５の中に隠して設置し、かつ弧形導引溝３４と切口溝５１の設計に併せて利用することにより、特定な弧状部の結合部６１を有する鍵６だけを利用して開錠または施錠の作動を行うことができる。全体的に言えば、本発明によれば、嵌接部４１の嵌入溝４１１を利用し、さらに併せて回動部材２を利用して上記錠の鍵穴を遮蔽することにより、多重的な盗難防止の効果を達成することができる。
【００３９】
本発明によれば、錠の盗難防止装置に用いられる鍵は回動部材２が上記回動領域内において回動する時、第三開口２２１は必ず筐体１の第一開口１２１の開口の範囲内に位置するように保持することができるため、また連接部材４によって鍵６を上記錠の方向に向かって移動するのを押し動かす時、製造用の公差によって第三開口２１１と第一開口１２１とが精確に位置を合わせることができなくなることにより、連接部材４と鍵６の移動を邪魔してしまうのを避けることができ、それにより、本発明では比較的大きい製造上の誤差の許容度を有することができる。  
【００４０】
本発明によれば、錠の盗難防止装置に用いられる鍵は、結合部６１を特定の弧状部を有するように設計することにより、かつ上記弧状部を弧形導引溝３４の曲率に合致することができるため、結合部６１は弧形導引溝３４を経由してから収容孔３５に到達することができ、さらに連接部材４の嵌接部４１と互いに嵌合することにより、上記錠を開錠したり施錠したりする効果を達成することができる。
【００４１】
本発明は、その精神および必須の特徴事項から逸脱することなく他のやり方で実施することができる。従って、本明細書に記載した好ましい実施例は例示的なものであり、限定的なものではない。
【符号の説明】
【００４２】
１    筐体
１１    収容空間
１１１    第一区域
１１２    第二区域
１２    第一端
１２１    第一開口
１３    第二端
１３１    第二開口
１４    滑動溝
２    回動部材
２１    制御部
２２    第一表面
２２１    第三開口
２３    第二表面
２３１    第四開口
２４    挿入孔
３    鍵導入座
３１    位置決め部材
３２    平面側壁
３３    弧面側壁
３４    弧形導引溝
３５    収容孔
３５１    大径部
３５２    小径部
３５３    第一肩部
３６    位置決めユニット
３６１    球体
３６２    弾性部材
４    連接部材
４ａ    第一端
４ｂ    第二端
４１    嵌接部
４１１    嵌入溝
４２    回動ボタン
４３    桿部
４４    第二肩部
５    カバー
５１    切口溝
５２    通孔
５３    第一位置決め部
５４    第二位置決め部
６    鍵
６１    結合部
６２    係止部
６３    歯部
９    従来の錠の盗難防止装置
９１    錠本体
９１１    鍵穴
９２    蓋板
９２１    開孔
９３    磁力板
９３１    通孔
９４    装飾蓋
９５    鍵
９５１    歯部
【図１】
0005480954.tif 000002
【図２】
0005480954.tif 000003
【図３】
0005480954.tif 000004
【図４】
0005480954.tif 000005
【図５】
0005480954.tif 000006
【図６】
0005480954.tif 000007
【図７】
0005480954.tif 000008